(57)【要約】  高周波送信器（４）に接続された単一の測定方向性結合器（３）を介して測定される前進電力（６）及び反射電力（３２）を調節する校正装置（１）を開示している。ak+x（単位：ｄB）で減衰させ、分離した前進電力（６）が基準値として用いられる。校正装置（１）は、2段スイッチ（１０）として実施され、制御及び表示装置（９）に制御線（８）を介して接続される切換スイッチ（７）を備える。切換スイッチ（７）を起動させる制御信号は、制御及び表示装置（９）によって伝送され、それにより、反射電力（３２）の測定から前進電力（６）の測定への切り換えが行われる。前進電力（６）及び反射電力（３２）は、同じ測定方向性結合器（３）を介して、かつ、低域通過フィルタ（２５）及び整流器（２６）を有する同じ測定センサ（２）によって測定される。
2008537126.tif 000002
【特許請求の範囲】
【請求項１】
テスト・センサ（２）と、単一の方向性結合器（３）を介して高周波送信装置（４）において測定された前進電力（６）及び反射電力（３２）を調節する接続された制御及び表示装置（９）とを備えた校正装置（１）であって、
前記高周波送信装置（４）からアンテナ（３７）に伝送線（５）を介して送信される既知の前進電力（６）を参照して前記調節が実現され、
前記校正装置（１）は、前記制御及び表示装置（９）に制御線（８）を介して接続された切換スイッチ（７）を備え、前記切換スイッチ（７）を起動させる制御信号が前記制御及び表示装置（９）から送信され、それによって、同じテスト・センサ（２）によって前記反射電力（３２）の測定から前記前進電力（６）の測定に切り換わり、前記前進電力（６）の前記測定及び前記反射電力（３２）の前記測定は、同じ方向性結合器（３）を介して実現される校正装置。
【請求項２】
請求項１記載の校正装置であって、
前記制御及び表示装置（９）が前記テスト・センサ（２）と別個に、かつ一定距離をおいて配置される校正装置。
【請求項３】
請求項１又は２に記載の校正装置であって、
前記切換スイッチ（７）を起動させる前記制御信号が前記制御及び表示装置（９）において生成される校正装置。
【請求項４】
請求項１乃至３の何れか一項に記載の校正装置であって、
前記切換スイッチ（７）は、第１の接触位置（１３、１５）及び第２の接触位置（１４、１６）それぞれに第１のスイッチ（１１）及び第２のスイッチ（１２）を備える2段動作スイッチ（１０）であり、前記第１のスイッチ（１１）及び前記第２のスイッチ（１２）は任意的には同時に、第１のスイッチング状態（１７）においてそれぞれの第１の接触位置（１３、１５）に、又は、第２のスイッチング状態（１８）において、対応するスイッチ（１１、１２）の前記それぞれの第２の接触位置（１４、１６）に接続される校正装置。
【請求項５】
請求項4記載の校正装置であって、
前記第１のスイッチング状態（１７）において、前記高周波送信装置（４）の前記伝送線（５）上で伝送される前記前進電力（６）の前記調節後、前記前進電力（６）が基準値として測定される校正装置。
【請求項６】
請求項4又は5に記載の校正装置であって、
前記第２のスイッチング状態（１８）において、前記高周波送信装置（４）の前記伝送線（５）上で基準値として伝送される前記前進電力による前記調節後、前記高周波送信装置（４）の前記伝送線（５）上で伝送され、前記アンテナによって反射される前記反射電力（３２）の測定が実現される校正装置。
【請求項７】
請求項４乃至６の何れか一項に記載の校正装置であって、
前記方向性結合器（３）は、前記前進電力（６）を分離する第１の結合器出力（１９）及び前記反射電力（３２）を分離する第２の結合器出力（２０）を備える校正装置。
【請求項８】
請求項7記載の校正装置であって、
低域通過フィルタ（２５）及び整流器（２６）はテスト・センサ（２）として備えられ、前記低域通過フィルタ（２５）の手前に配置された前記切換スイッチ（７）は、前記テスト・センサ（２）を任意的に２つの結合器出力（１９、２０）の一方に接続し、前記低域通過フィルタ（２５）は、基本周波数範囲における前記方向性結合器（３）の周波数応答とほぼ相補的な周波数応答を有する校正装置。
【請求項９】
請求項7又は8に記載の校正装置であって、
前記方向性結合器（３）は、前記第１の結合器出力（１９）において、かつ前記第２の結合器出力（２０）において同じ結合減衰ak（単位：dB）をもたらす校正装置。
【請求項１０】
請求項７乃至９の何れか一項に記載の校正装置であって、
前記方向性結合器（３）の前記第１の結合器出力（１９）は、2段動作スイッチ（１０）として設計された、前記切換スイッチ（７）の前記第２のスイッチ（１２）に減衰エレメント（２２）を介して接続され、前記方向性結合器（３）の前記第２の結合器出力（２０）は、2段動作スイッチ（１０）として設計された、前記切換スイッチ（７）の前記第１のスイッチ（１１）に直結した校正装置。
【請求項１１】
請求項１０記載の校正装置であって、
前記方向性結合器（３）の前記第１の結合器出力（１９）に接続された前記減衰エレメント（２２）が、x（単位：ｄB）の規定された固定減衰係数を備える校正装置。
【請求項１２】
請求項４乃至６の何れか一項に記載の校正装置であって、
前記第１のスイッチ（１１）の前記第１の接触位置（１３）が終端抵抗（２３）で終端する校正装置。
【請求項１３】
請求項４乃至６、又は１２の何れか一項に記載の校正装置であって、
前記第２のスイッチ（１２）の前記第２の接触位置（１６）が、接地（２４）に、直結しているか、又は、終端抵抗（２３）を介して接続された校正装置。
【請求項１４】
請求項４乃至６、１２又は１３の何れか一項に記載の校正装置であって、
前記第１のスイッチ（１１）の前記第２の接続位置（１４）が、前記第２のスイッチ（１２）の前記第１の接続位置（１５）に接続線（３５）を介して接続された校正装置。
【請求項１５】
請求項１４記載の校正装置であって、
前記接続線（３５）は、前記テスト・センサ（２）の低域通過フィルタ（２５）に接続された校正装置。
【請求項１６】
請求項４乃至６の何れか一項に記載の校正装置であって、
前記第１のスイッチング状態（１７）によって、前記方向性結合器（３）の第１の結合器出力（１９）への前記テスト・センサ（２）の接続が設定される校正装置。
【請求項１７】
請求項４乃至６、又は１６の何れか一項に記載の校正装置であって、
前記第１のスイッチング状態（１８）によって、前記方向性結合器（３）の第２の結合器出力（２０）への前記テスト・センサ（２）の接続が設定される校正装置。
【請求項１８】
高周波送信装置（４）に接続された制御及び表示装置（９）において測定された前進電力（６）及び反射電力（３２）を調節する、校正装置による校正方法であって、
前記調節は、前記高周波送信装置（４）の伝送線（５）上で伝送される前記前進電力（６）に関して実現され、前記調節の基準値は前記高周波送信装置（４）の既知の前進電力（６）であり、制御線（８）は、前記校正装置（１）を前記制御及び表示装置（９）に接続し、
前記制御及び表示装置（９）が制御信号を生成する工程と、
前記制御線（８）を介して伝送される前記制御信号が、前記校正装置（１）において備えられる切換スイッチ（７）を起動させ、それによって、前記前進電力（６）の測定から前記反射電力（３２）の測定に切り換え、前記反射電力（３２）の前記測定及び前記前進電力（６）の前記測定は、前記校正装置（１）において備えられた同じ方向性結合器（３）、及び同じテスト・センサ（２）によって実現される工程とを備える校正方法。
【発明の詳細な説明】
【技術分野】
【０００１】
本発明は、高周波送信装置に接続された方向性結合器測定システムを調節する請求項１記載の校正装置及び請求項１８記載の校正方法に関する。
【背景技術】
【０００２】
方向性結合器によって高周波線上の前進波の電圧及び反射波の電圧を測定し、量的に評価する装置であって、先行して規定された閾値を超えた場合にアラームがトリガされる装置が、国際公開第02/054092(A1)号パンフレットによって知られている。前述の文献に開示された装置の欠点は、２つの電圧の測定値を装置のユーザに向けて十分な精度で表示する補正及び調節された表示が提供されないことである。更に、前進波及び反射波は、別個のセンサによって測定され、それにより、使用される２つの検出器の公差が異なるために比較結果の精度が損なわれる。
【発明の開示】
【発明が解決しようとする課題】
【０００３】
本発明はよって、高周波送信装置に接続された方向性結合器測定システムを調節する校正装置及び校正方法を提供するという目的に基づいている。方向性結合器測定システムの測定、並びに校正及び調節を１つの方向性結合器のみによって実現して、高周波送信装置において反射された反射電力の測定値の補正された表示を提供する。
【課題を解決するための手段】
【０００４】
この目的は、請求項１の構成による校正装置に関して、かつ、請求項１８の構成による校正方法に関して達成される。請求項１は、テスト・センサと、高周波送信装置において測定された前進電力及び反射電力を単一の方向性結合器を介して調節する、接続された制御及び表示装置とを備える校正装置を記載している。この意味合いで、測定には、十分な精度で知られており、高周波送信装置の伝送線上でアンテナに伝送される前進電力の調節が先行する。調節の基準値は、十分な精度で知られている、高周波送信装置の放出前進電力である。本発明による校正装置は、制御及び表示装置に制御線を介して接続された切換スイッチを備える。切換スイッチを起動させる制御信号は制御及び表示装置から送信され、それにより、同じ測定センサによって反射電力の測定から前進電力の測定に戻す。前進電力の測定及び反射電力の測定は、同じ方向性結合器を介して実現される。
【発明を実施するための最良の形態】
【０００５】
本発明の効果的な更なる発展形は、従属請求項に示す。本発明は、添付図面を参照して以下に更に詳細に説明する。
【実施例】
【０００６】
本発明による方策の説明の目的で、まず、従来技術について図１を参照して説明する。
従来技術による測定システムの構成部分、及び本発明による校正装置の構成部分又は本発明による校正方法の校正装置の構成部分には、同じ参照符号を付している。
【０００７】
図１は、送信システム4aにおける測定前進電力及び測定反射電力を調節し、前進電力又は反射電力を後に任意的に測定する、従来技術による測定システムを示す。前進電力６は、送信システム4aによって放出される送信電力（接続されたアンテナ３７に送信システム4aが送信する）に対応する。反射電力３２は、送信システム4aの伝送線5上のアンテナ37によって反射される電力に対応する。この反射電力は、送信システム4aに向けて伝送され、反射電力は、前進電力６と逆方向に伝送される。
【０００８】
測定技術の意味合いでは、伝送線５上で反射される電力、すなわち反射電力３２は、特定の精度で求められなければならない。送信システム4aの個々の構成部分、又は送信システム4a自体の全体を破壊し得るからである。よって、先行して規定された閾値値を超えた場合、反射電力の高吸収によって生じる損傷から送信システム4aを保護するアラーム又はカットアウト機構が起動される。結合器の減衰がak（単位：ｄB）である、従来技術による測定システムにおいて備えられた方向性結合器３は、ak（単位：ｄB）に対応する、（所定の係数）分の１に削減された前進電力６の成分を分離し、前進電力６のこの分離した成分を整流器２６に供給する。整流器２６は、（所定の係数）分の１に削減されたこの前進電力６を直流電圧信号に変換する。この直流電圧信号は、表示装置２９の入力パラメータである。表示装置２９では、入力において存在しているアナログ直流電圧信号の、離散的なディジタル測定値への割り当ては、アナログ／ディジタル変換器によって実現される。直流電圧信号に割り当てられたディジタル測定値は、表示装置２９によって表示される。
【０００９】
測定システムは、前進電力６の離散的なディジタル測定値を表示装置２９によって高精度で表示することが可能であるように校正し、調節されなければならない。これは、表示する対象の測定値が、既知の入力値に対して設定されることを意味する。測定システムの校正及び調節は、前進電力６が測定されるために比較的単純である。この意味合いで、前進電力６は、非常に高精度に求めることが可能であるか、又は既知の公差を提供する定格値によって与えられる、送信システム4aの出力電力に対応する。表示は、一定の電力に調節され、前進電力６の定格値に既知の精度で調節されなければならないに過ぎない。
これは、ポテンショメータ（更に例証していない）によって、又はプロセス制御アルゴリズムを用いて表示装置２９において実現することが可能である。
【００１０】
反射電力３２を高精度で表示するための測定システム4aの校正及び調節はより複雑である。反射電力３２の値は動作条件下では、前進電力６よりずっと小さく、一般に未知である。この目的で、既知の基準値が用いられる。従来技術では、図１に示すように、同軸ケーブル３０を基準方向性結合器３４に差し込み直すことが必要であり、測定システムが調節される。その結果、測定範囲の感度がより高くなる。すなわち、より小さな測定値を、より高い精度で表示することが可能である。
【００１１】
測定された反射電力３２の高精度の表示を表示装置２９が備えるように測定システムを校正し、調節するための第１の工程では、結合器減衰ak(単位：dB)で削減された反射電力３２の一部分が、検出器として用いられる整流器２６に方向性結合器３から供給される。方向性結合器３の第２の出力は、方向性結合器３の方向性の良好な鮮鋭度を確保するために終端抵抗３１で終端する。測定システムを校正し、調節するために、送信システム4aの前進電力６のみが高精度で分かっているので、反射電力３２の高精度の表示を表示装置２９において達成するために、整流器２６の入力が、第２の方向性結合器（基準方向性結合器３４として測定システムにおいて設けられている）の順方向入力に同軸ケーブル３０によって接続される。
【００１２】
この意味合いで、ak+x（単位：ｄB）で減衰させた前進電力６に対応する既知の基準値が生成される。基準値は、結合器減衰ak+x（単位：ｄB)で削減された前進電力６から導き出される。前述の校正のために、基準値として供給される前進電力６を減衰させるための結合器減衰は、反射電力３２の実際の測定よりも値x（単位：ｄB）だけ高くなるよう調節される。これは、前進電力６を基準値として反射電力３２の登録測定値の正しい表示を提供するために測定システムの校正及び調節中に整流器２６を過負荷状態にしないために、基準値をより強く減衰させることを意味する。
【００１３】
方向性結合器３の出力はよって、反射電力３２の測定に対する感度がより高く、x（単位：ｄB）に対応する係数で、基準方向性結合器３４に対して増加させられる電力値が表示される。表示装置２９に表示される電力はよって、x（単位：ｄB）に対応する係数で低減させなければならない。従来技術では、同軸ケーブル３０を基準方向性結合器３４に差し込み直すことにより、かつ、例えば、整流器２６上のポテンショメータ（より詳細には示していない）による、又は、表示装置２９におけるプロセッサ制御アルゴリズムを用いることによる電力表示の後の微調整によって、図１に示すように校正及び調節が手作業で実現される。
【００１４】
校正及び調節の方法は、整流器２６を介して表示装置２９に基準方向性結合器３４（x（単位：ｄB）に対応する既知の係数で減衰を増加させる）を、反射電力３２を測定する前に接続する工程を有する。係数x（単位：ｄB）が既知であるので、表示は、反射電力３２の測定のために、この係数で低減させなければならない。この工程が実現された後、反射電力３２（通常の動作条件下の前進電力６よりもずっと小さい）を表示装置２９（比較的小さな電力値の高精度の測定のために測定範囲が調節される）に表示するよう測定システムを準備する。この目的で、同軸ケーブル３０を、減衰が比較的低い第１の方向性結合器３に差し込み直さなければならない。
【００１５】
図２は、高周波送信装置４に接続された単一の方向性結合器３を介して前進電力６及び反射電力３２を調節し、測定する、本発明による校正装置１の簡易回路図を示す。制御及び表示装置９は、高周波送信装置４の伝送線５上でアンテナ３７によって反射された反射電力３２を表示する。この意味合いで、校正及び調節の方法の基準値も、高周波送信装置４の既知の前進電力６である。
【００１６】
本発明による校正装置１は、制御及び表示装置９に制御線８を介して接続された切換スイッチ７を提供する。好ましくは本発明による校正装置１の測定センサ２から一定距離に配置された制御及び表示装置９は、切換スイッチ７を起動させる制御信号を生成し、この信号を制御線８に転送する。この意味合いで、システムは、反射電力３２の測定から前進電力６の測定に切り換える。既知であり、減衰させた前進電力６は校正測定に対応し、前進電力６及び反射電力３２の測定は、同一の方向性結合器３によって実現される。切換スイッチ７を起動させる制御信号は、「調節」信号である。この信号は、別個の制御及び表示装置９のコマンド記憶装置に記憶され、特定のイベントの場合に前述の装置９によって生成され、切換スイッチ７につながる制御線８に転送される。よって、「調節」信号のアクティブ状態の間、切換スイッチは、前進電力６及び反射電力３２を測定するために校正位置に配置され、前進電力６の測定が次いで実現される。
【００１７】
図３は、単一の方向性結合器によって測定される前進電力６及び反射電力３２を調節するために、本発明による校正装置１の第１のスイッチング状態１７の更に詳細な回路図を示す。切換スイッチ７は特に、更に詳細に示す。例示的な実施例では、第１の接触位置１３、１５及び第２の接触位置１４、１６をそれぞれ備える第１のスイッチ１１及び第２のスイッチ１２を備えた2段動作スイッチ１０である切換スイッチは任意的には、第１のスイッチング状態１７又は第２のスイッチング状態１８を備える。上方スイッチ１１及び下方スイッチ１２は、第１のスイッチ１１の終端抵抗２３で終端した上方接触位置１３、及び、第２のスイッチ１２の上方接触位置１５に、又は、第１のスイッチ１１の下方接触位置１４、及び、第２のスイッチ１２の接地２４に接続された下方接触位置１６に接続される。
【００１８】
第１のスイッチング状態１７は、2段動作スイッチ１０の第１の接触位置１３に第１のスイッチ１１及び第２のスイッチ１２が同時に接触するという点で規定される。
【００１９】
図４に示す第２のスイッチング状態１８は、2段動作スイッチの第２の接触位置１４に第１のスイッチ１１及び第２のスイッチ１２が同時に接触するという点で規定される。第１のスイッチング状態１７が存在している場合、前進電力６の測定値が、減衰させ、分離された前進電力６による調節後に別個の制御及び表示装置９において表示される。第２のスイッチング状態１８が存在している場合、既知の前進電力６を用いて別個の制御及び表示装置９が補正された後に、かつ、反射電力３２などの低電力値も十分な精度で表示することが可能であるようにその測定範囲が拡大された後に、別個の制御及び表示装置９は反射電力３２を表示する。
【００２０】
テスト・センサ２としてふるまう低域通過フィルタ２５及び整流器２６の直列回路を、本発明による校正装置１において備える。切換スイッチ７は、低域通過フィルタ２５の手前に接続される。一方側では、切換スイッチ７は、方向性結合器３に対する直列接続１１を備える。他方側では、切換スイッチ７は、低域通過フィルタ２５及び整流器２６を備えるテスト・センサ２に接続される。低域通過フィルタ２５は、方向性結合器３の周波数応答と、基本周波数範囲においてほぼ相補的である周波数応答を備える。方向性結合器３は、前進電力６を分離する第１の結合器出力１９、及び反射電力３２を分離する第２の結合器出力２０を備え、第１の結合器出力１９、２０から分離された前進電力６又は反射電力３２は、規定された同じ結合器減衰ak（単位：ｄB）を受ける。
【００２１】
方向性結合器３の第１の結合器出力１９は、特定の減衰係数x（単位：ｄB）を備える減衰エレメント２２を介して2段動作スイッチ１０の第２のスイッチ１２に接続され、方向性結合器３の第２の結合器出力２０は、2段動作スイッチ１０の第１のスイッチ１１に直結している。第１の結合器出力１９を第２のスイッチ１２に接続する減衰エレメント２２は好ましくは、例えば、５０オームの、適合させた入力抵抗を備える。
【００２２】
本発明による校正装置１の切換スイッチ７における配線は、第１のスイッチ１１の第２の接触位置１４が第２のスイッチ１２の第１の接触位置１５に接続線３５（テスト・センサ２の低域通過フィルタ２５に接続される）を介して接続されるように実現される。この意味合いで、第１のスイッチング状態１７では、方向性結合器３の第１の結合器出力１９への接続線３５の接続が、減衰エレメント２２を介して備えられ、第２のスイッチング状態１８では、方向性結合器３の第２の結合器出力２０への接続線３５の接続が備えられ、アクティブ状態の存在下で、制御及び表示装置９によって生成され、制御線８を介して切換スイッチ７に送信される「調節」信号は、第２のスイッチング状態１８から第１のスイッチング状態１７に切り換わり、それによって、第１のスイッチング状態１７の存在下で、前進電力６を制御及び表示装置９に表示させる。
【００２３】
図4は、単一の方向性結合器３によって高周波送信装置４において前進電力６及ぶ反射電力３２を校正するための本発明による校正装置１の第２のスイッチング状態１８の更に詳細な回路図を示す。第１のスイッチ１１及び第２のスイッチ１２を有し、第１の接触位置１３、１５、及び第２の接触位置１４、１６をそれぞれ備える2段動作スイッチ１０として設計された切換スイッチ７は、任意的には、第１のスイッチング状態１７又は第２のスイッチング状態１８を生成する。第１のスイッチ１１及び第２のスイッチ１２は、終端抵抗２３で終端した第１のスイッチ１１の第１の接触位置１３、及び第２のスイッチ１２の第２の接触位置１５に、又は、第１のスイッチ１１の第２の接触位置１４、及び第２のスイッチ１２の接地２４に接続された第２の接触位置１６に同時に接続される。
【００２４】
図4に示す第２のスイッチング状態１８は、第１のスイッチ１１及び第２のスイッチ１２が第２の接触位置１４に同時に接触するという点で規定される。図４に示すように第２のスイッチング状態１８が存在している場合、別個の制御及び表示装置９は、伝送線５上で伝送される反射電力３２を測定し、表示することが可能である。
【００２５】
本発明による校正装置１の切換スイッチ７における配線は、第１のスイッチ１１の第２の接触位置１４が第２のスイッチ１２の第１の接触位置１５に接続線３５（テスト・センサ２の低域通過フィルタ２５に接続される）を介して接続されるように実現される。この意味合いで、図４に示す第２のスイッチング状態１８によって、方向性結合器３の第２の結合器出力２０との接続線３５の接続が備えられる。アクティブ状態において、制御及び表示装置９によって生成され、制御線８を介して切換スイッチ７に送信される「調節」信号は、方向性結合器３の第１の結合器１９へのテスト・センサ２の接続を介して規定される第１のスイッチング状態１７を規定する。
【００２６】
単一の方向性結合器３のみを備え、１つのテスト・センサ２のみを備え、制御及び表示装置９に接続される校正装置１によって、高周波送信装置４において測定された前進電力６及び反射電力３２を調節するための、本発明による校正方法は、いくつかの工程を備える。
【００２７】
第１の工程では、制御線８を介して伝送される制御信号は、本発明による校正装置１において備えられる切換スイッチ７を起動させ、それによって、反射電力３２の測定から前進電力６の測定に切り換わる。前進電力６の測定は、本発明による校正装置１において備えられる同じ方向性結合器３、及び同じテスト・センサ２によって実現され、制御及び表示装置９によって、前述の装置が、基準値で調節された前進電力６の測定値を表示した後に表示される。この意味合いで、制御及び表示装置９は、校正装置１からの一定距離に配置することが可能である。
【００２８】
制御コマンド「調節」のアクティブ状態は、切り換えスイッチ７を操作し、よって、反射電力３２の測定から前進電力６の測定に切り換わるように、本発明による校正装置１において解釈される。例示的な実施例における切換スイッチ７は、第１のスイッチ１１及び第２のスイッチ１２を備えた２段動作スイッチ１０として設計され、第１のスイッチ１１及び第２のスイッチ１２は、第１の接触位置１３、１５に、又は第２の接触位置１４、１６に同時に切り換えられる。第１のスイッチング状態１７又は第２のスイッチング状態１８は任意的には、2段動作スイッチ１０によって生成され、第１のスイッチング状態１７の存在下では、校正装置１は、基準値として伝送線５上で伝送される前進電力６によって方向性結合器３を校正する。
【００２９】
第１のスイッチング状態１７では、方向性結合器３は、分離され、減衰させた前進電力６によって、校正装置１によって校正される。この目的で供給される制御コマンド「調節」が制御及び表示装置９によって生成され、アクティブ状態に切り換わり、本発明による校正装置１（前述の信号が解釈される）に伝送された後に、第１のスイッチング状態１７が生起する。本発明による方法は、特定の順序において、２つの結合器１９、２０を備えた方向性結合器３、切換スイッチ７、及びテスト・センサ２の配線を備える。テスト・センサ２は、低域通過フィルタ２５及び整流器２６を含む。この意味合いで、周波数応答と無関係に、特定された結合器減衰ak（単位：ｄB）で前進電力６又は反射電力３２が任意的に分離されるように方向性結合器３を特定の寸法にする。この意味合いで、低域通過フィルタ２５を用いて、広域通過特性を示す、方向性結合器３の周波数応答を補償する。方向性結合器３の第１の結合器出力１９は、2段動作スイッチ１０の第２のスイッチ１２に、規定された減衰x（単位：ｄB）を備える減衰エレメント２２を介して接続され、方向性結合器３の第２の結合器出力２０は、2段動作スイッチ１０の第１のスイッチ11に直結している。
【００３０】
本発明は、提示及び説明した例示的な実施例に限定されるものでない。説明した構成要素全てを、必要に応じて、互いに組み合わせることが可能である。本発明によって備えられる切換スイッチ７の結果、従来技術において必要である２つの検出器（前進電力６の測定のための１つ、及び反射電力３２の測定のための１つ）を備えることはもう必要でない。単一の低域通過フィルタ２５及び単一の整流器２６を用いることが可能であるか、又はそれぞれにダイオード検出器を用いることが可能である。校正装置１の費用が削減されるのみならず、測定の精度も向上する。前進電力６及び反射電力３２の測定が同じテスト・センサ２、同じ低域通過フィルタ２５及び同じアナログ／ディジタル変換器を介して実現される。測定又は校正の誤りがあれば、前進電力６の測定及び反射電力３２の測定に同一の影響を及ぼし、よって、互いに補償する。この意味合いで、前進電力６の単一の調節のみが、前進電力６の測定にも反射電力３２の測定にも必要である。反射電力３２の測定における表示は、減衰エレメント２２の値だけ減らされて算出されるに過ぎない。
【図面の簡単な説明】
【００３１】
【図１】送信システムにおいて測定前進電力及び測定反射電力を調節し、前進電力又は反射電力を後に任意的に測定する、従来技術による測定システムを示す回路図である。
【図２】高周波送信装置において測定された前進電力及び反射電力を単一の方向性結合器によって調節する、本発明による校正装置を示す簡易回路図である。
【図３】高周波送信装置において測定された前進電力及び反射電力を単一の方向性結合器によって調節する、本発明による校正装置の第１のスイッチング状態を示す詳細な回路図である。
【図４】高周波送信装置において測定された前進電力及び反射電力を単一の方向性結合器によって調節する、本発明による校正装置の第２のスイッチング状態を示す詳細な回路図である。
【図１】
2008537126.tif 000003
【図２】
2008537126.tif 000004
【図３】
2008537126.tif 000005
【図４】
2008537126.tif 000006
【国際調査報告】
2008537126.tif 000007
2008537126.tif 000008
2008537126.tif 000009
2008537126.tif 000010
2008537126.tif 000011
2008537126.tif 000012